(57)【要約】【課題】、赤色成分の光が最適な範囲となるマゼンタ色の光を放射でき、しかも、発光物質の選択幅が広く、色調の経時変化がない照明装置を提供するものである。【解決手段】  本発明の照明装置は、発光管１０が透光性セラミックよりなる放電ランプと反射鏡２からなり、反射鏡２から反射された光によって被照明物を照明する照明装置において、放電ランプ１は、発光管内１０に、発光物質として、タリウムとナトリウムと少なくとも１種類の希土類金属が封入され、色温度が２５００〜３０００Ｋで点灯するものであって、反射鏡２は、反射面に反射膜２１が形成されており、反射膜２１は、３６０〜３８０ｎｍの波長域に第１の反射ピークを有し、６００〜６５０ｎｍの波長域に第１の反射ピークより高い第２の反射ピークを有するものであることを特徴とする。【選択図】    図１
2006155923.tif 000002
【特許請求の範囲】
【請求項１】
発光管が透光性セラミックよりなる放電ランプと、当該放電ランプを覆うように配置された反射鏡とよりなり、反射鏡から反射された光によって被照明物を照明する照明装置において、
前記放電ランプは、発光管内に、発光物質として、タリウムとナトリウムと少なくとも１種類の希土類金属が封入され、色温度が２５００〜３０００Ｋで点灯するものであって、
前記反射鏡は、反射面に反射膜が形成されており、
前記反射膜は、３６０〜３８０ｎｍの波長域に第１の反射ピークを有し、６００〜６５０ｎｍの波長域に第１の反射ピークより高い第２の反射ピークを有するものであることを特徴とする照明装置。
【発明の詳細な説明】
【技術分野】
【０００１】
本発明は、発光管が透光性セラミックよりなる放電ランプと反射鏡を組み合わせた、食品を好ましく演色することができる照明装置に関するものである。
【背景技術】
【０００２】
従来、食品の照明用として放電ランプや白熱ランプや演色改善型蛍光ランプが主に利用されていた。
これらのランプは、食品の持つ自然の恵みあふれる天然色を、自然色に近い形で照明し、人々の食欲を増大させるために重要なファクターとなっている。
【０００３】
具体的には、食肉の場合は、肉独自の赤さをさわやかに演出しなければならず、赤色が強調されすぎると、極めて赤色が強い違和感のある肉に見えてしまう。
また、鮮魚の場合は、魚の青みや白身、マグロの赤身まで、イキイキとした色彩感をフレッシュに演出しなければならず、色温度が高い青みかかった光で照明する必要がある。
【０００４】
このように、食品の照明には、照明される食品に応じて照明光を選択する必要があり、様々な放電ランプや白熱ランプや演色改善型蛍光ランプが知られている。
【特許文献１】特開２００３−２４２９３０公報
【発明の開示】
【発明が解決しようとする課題】
【０００５】
しかしながら、演色改善型蛍光ランプでは、赤色成分の光が不足気味であり、食品の鮮度、特に、食肉の鮮度が悪く見える問題があった。
一方、白熱ランプでは、蛍光ランプに比べ色温度が低く、赤色成分の光が多すぎ、食品の色調に赤みがかかり過ぎ、食品を自然色で照明できないという問題があった。
また、放電ランプを使用する場合、発光管は通常石英ガラス製のものであり、発光物質によっては、長時間ランプを点灯すると、封入された発光物質が発光管から抜け、点灯時間とともに放電ランプから放射される光の色調が変化するという問題があった。
【０００６】
本発明は、上記の事情に基づいてなされたものであって、赤色成分の光が最適な範囲で放射され、しかも、色調の経時変化がない照明装置を提供することにある。
【課題を解決するための手段】
【０００７】
本願発明の照明装置は、発光管が透光性セラミックよりなる放電ランプと、当該放電ランプを覆うように配置された反射鏡とよりなり、反射鏡から反射された光によって被照明物を照明する照明装置において、前記放電ランプは、発光管内に、発光物質として、タリウムとナトリウムと少なくとも１種類の希土類金属が封入され、色温度が２５００〜３０００Ｋで点灯するものであって、
前記反射鏡は、反射面に反射膜が形成されており、前記反射膜は、３６０〜３８０ｎｍの波長域に第１の反射ピークを有し、６００〜６５０ｎｍの波長域に第１の反射ピークより高い第２の反射ピークを有するものであることを特徴とする。
【発明の効果】
【０００８】
本発明の照明装置によれば、赤色成分の光が最適な範囲となるマゼンタ色の光を放射でき、しかも、発光物質の選択幅が広く、色調の経時変化がないものである。
【発明を実施するための最良の形態】
【０００９】
図１は、本願発明の照明装置の説明図である。
放電ランプ１は、発光管１０と両端に形成された封止部１１が共に透光性セラミックよりなるものであり、発光管１０の内部に一対の電極（不図示）が対向して配置されて、発光管１０及び封止部１１は、外管１２で密閉状態になるように取り囲まれている。
発光管１０は、内容積０．２ｃｃであり、発光物質として、タリウム（Ｔｌ）とナトリウム（Ｎａ）とディスプロシウム（Ｄｙ）が、ＤｙＩ３−ＴｌＩ−ＮａＩ（３４：８：５８重量比）の形で４ｍｇと水銀が６．５ｍｇ封入され、定格５０Ｗ、色温度３０００Ｋで点灯されるものである。
【００１０】
そして、放電ランプ１を取り囲むように、反射鏡２が配置されており、この反射鏡２の反面には、ＴｉＯ２−ＳｉＯ２の多層コーティング膜よりなる反射膜２１が形成されている。
【００１１】
そして、反射鏡２の首部内に、放電ランプ１の一端部が挿入され、接着剤によって固定されており、反射鏡２の首部の外面には、絶縁性のセラミックベース３が接着材によって固定されており、このセラミックベース３の側面部に螺旋状の給電部材３１が取り付けられており、セラミックベース３の先端が金属性の接点部３２となっており、給電部材３１に一方の電極に繋がるリード線が接続され、接点部材３２に他方の電極に繋がるリード線が接続されている。
【００１２】
また、反射鏡２の前方開口には、開口を塞ぐように前面ガラスが嵌め込まれており、この前面ガラスによって、反射鏡から反射される光の方向を制御するものである。
【００１３】
図２は、本発明の照明装置に用いられランプの分光分布図でありランプの仕様は、図１で示した通りである。
このランプは、５３５ｎｍと５９０ｎｍにピーク波長を有するものであり、５３５ｎｍのピークはタリウムの発光によるピークであり、５９０ｎｍのピークはナトリウムの発光によるピークである。
また、ディスプロシウムは、連続スペクトル成分を発光させるための稀土類金属であり、赤成分を効率よく発光するものである。
【００１４】
図３は、反射鏡に形成された反射膜の反射特性を示すデータであり、反射膜は、３６０〜３８０ｎｍの波長域に第１の反射ピークを有し、６００〜６５０ｎｍの波長域に第１の反射ピークより高い第２の反射ピークを有するものである。
このような反射特性は、多層コーティング膜を形成するＴｉＯ２膜とＳｉＯ２膜のそれぞれの膜厚を変えたり、各膜の積層数を変えるなどして、上記の反射特性を有するように設計するものである。
【００１５】
そして、放電ランプ１から放射される特有の光が反射鏡２に照射され、反射鏡２からは特有の光が高い割合で反射されるので、これらの放電ランプ１と反射鏡２の特有の組み合わせにより、反射鏡２から反射された光は、色度が０．３４≦ｘ≦０．４３、０．２５≦ｙ≦０．３５の範囲のマゼンタ色の光になるものである。
【００１６】
なお、放電ランプ１と反射鏡２との位置関係は、放電ランプ１から放射された光のうち８０％以上の光が反射鏡に照射される位置に放電ランプ１が配置される必要がある。
８０％以下の場合は、放電ランプ１からの直射光が被照明物に直接照射される割合が高くなり、被照明物に最適な色調の光が照射されないことになる。
放電ランプから放射された光のうち８０％以上の光が反射鏡に照射される構造とは、放電ランプから放射される光の有効利用角度の８０％以上の角度に反射鏡の反射面が存在するようにすればよい。
【００１７】
具体的には、図１中、放電ランプ１の有効利用角度は１３０°であり、その８０％とは１０４°になり、１０４°の角度範囲を超える位置まで反射鏡２の反射面２１が存在するようにすれば、放電ランプから放射された光の８０％以上が反射鏡２によって反射されることになる。
【００１８】
そして、放電ランプ１の発光管１０は、セラミック製であり、石英ガラスとは異なり内部に封入された発光物質が外部に抜けることがないので、発光物質としてナトリウムを使用することができ、発光物質として選択の自由度が高くなり、しかも、長時間点灯しても色調が変化しないものである。
【００１９】
このような照明装置を用いて、食品、特に赤色を色鮮やかに演色する必要がある食肉を照明すると、肉独自の赤さを爽やかに演出することができ、人々の食欲を増大させることで、食肉の商品価値を向上させることができる。
【図面の簡単な説明】
【００２０】
【図１】本発明の照明装置の説明図である。
【図２】本発明の照明装置に用いられる放電ランプの分光分布図である。
【図３】本発明の照明装置に用いられる反射鏡の反射膜の反射特性データ図である。
【符号の説明】
【００２１】
１    放電ランプ
１０  発光管
１１    封止部
１２    外管
２      反射鏡
２１    反射膜
３      セラミックベース
３１    給電部材
３２    接点部
【図１】
2006155923.tif 000003
【図２】
2006155923.tif 000004
【図３】
2006155923.tif 000005